(57)【要約】      （修正有）【課題】中間ブラケットのサイズ変更の必要がなく、シートバックフレームに対するステー支持ブラケットの前後方向の位置調整を可能にし、かつ開口ブラケットの型コストを抑えることを可能にする。【解決手段】シートバックフレーム１のヘッドレスト設置位置に、上下方向に形成された凹部４と、この凹部４に取り付けられて、この凹部４側とは反対方向に開口する開口部を持つ略コ字状の開口ブラケット２と、を有し、この開口ブラケット２の開口部側からの所定位置に、ステー支持ブラケット３を装着して、かつ溶接等によって固定する構成である。【選択図】図１
2011000144.tif 000002
【特許請求の範囲】
【請求項１】
シートバックを構成するシートバックフレームに固定され、ヘッドレストのステーが挿入されることによって、該ヘッドレストを支持するステー支持ブラケットを備えるへッドレスト支持装置であって、
前記シートバックフレームのヘッドレスト設置位置に上下方向に形成された凹部と、
該凹部に取り付けられて、該凹部側とは反対方向に開口した開口部を持つ略コ字状の開口ブラケットと、を有し、
該開口ブラケットの開口部側から挿入された所定位置に、前記ステー支持ブラケットが装着され、かつ固定されてなることを特徴とするヘッドレスト支持装置。
【発明の詳細な説明】
【技術分野】
【０００１】
本発明は、ヘッドレストの支持装置に係り、特に、車両シートのシートバック上に設けられ、衝突時における頭部を含む人体の保護を図るためのヘッドレスト支持装置に関する。
【背景技術】
【０００２】
自動車のシートバックには、乗員の頭部を安全に支えるためにヘッドレストが設けられている。このヘッドレストの支持構造として、図３に示すものが開示されている（例えば、特許文献１参照）。このヘッドレストの支持構造２０は、シートバック２１内のシートバックフレーム２２にステー支持ブラケット２３を固定してあり、このステー支持ブラケット２３にブッシュ２７が挿入されて固着され、このブッシュ２７にヘッドレスト２４のステー２５を上下調整可能に嵌挿することによって、シートバック２１でヘッドレスト２４を支持する構造となっている。
【０００３】
また、このようなブラケット２３は、一般的に板材を取り回し、その端部を溶接などによって接合されて形成されており、この接合部（継ぎ目）が形成された面がシートバック２１のシートバックフレーム２２にさらに溶接などによって接合されている。
【０００４】
ところで、シートの組み立て時には、シートバックやヘッドレストの形状に合わせてステー支持ブラケットをシートバックフレームの前後方向に位置調整することが必要になる場合がある。このことは設計変更によっても生ずる。この場合には、例えば図４および図５に示すように、シートバックフレーム２２とステー支持ブラケット２３との間に所定厚み（幅）の中間ブラケット２６が介在され、互いに溶接によって固定される。
【先行技術文献】
【特許文献】
【０００５】
【特許文献１】特開２０００−１０２４４４号公報
【発明の開示】
【発明が解決しようとする課題】
【０００６】
しかしながら、かかる従来のヘッドレスト支持構造にあっては、この中間ブラケット２６の厚みを含むサイズを、設計変更つまり前記シートバックやヘッドレストの設置位置等の変更に応じて変更しなければならない。従って、この場合には、この中間ブラケット２６を成形する型も、新規に製作しなければならない。この結果、中間ブラケット２６およびヘッドレスト支持構造全体のコストアップを招いてしまうという問題があった。
【０００７】
本発明はかかる従来の問題点に着目してなされたものであり、一つの開口ブラケットの設置のみで、シートバックフレームに対するステー支持ブラケットの前後方向の位置調整を簡単かつ容易に行えるようにし、これによりヘッドレスト支持構造のコスト低下を図り、以ってシート製造コストを低減できるヘッドレスト支持装置を提供することを目的とする。
【課題を解決するための手段】
【０００８】
前述した目的を達成するために、本発明に係るヘッドレスト支持装置は、シートバックを構成するシートバックフレームに固定され、ヘッドレストのステーが挿入されることによって、該ヘッドレストを支持するステー支持ブラケットを備えるへッドレスト支持装置であって、前記シートバックフレームのヘッドレスト設置位置に上下方向に形成された凹部と、該凹部に取り付けられて、該凹部側とは反対方向に開口する開口部を持つ略コ字状の開口ブラケットと、を有し、該開口ブラケットの開口部側から挿入された所定位置に、前記ステー支持ブラケットが装着され、かつ固定されてなることを特徴とする。
【０００９】
この構成により、ステー支持ブラケットをシートバックの凹部に取り付けられた開口ブラケット内で前後方向へ位置調整した上で、その開口ブラケットに溶接などによって固定すれば、ヘッドレストの前後方向の位置をヘッドレスト等の設計変更等に対応して任意に設定できる。従って、開口ブラケットの成形型を一種類のみ用意すればよく、型コストを大幅に削減することができる。
【発明の効果】
【００１０】
本発明によれば、シートバックフレームに対するステー支持ブラケットの前後方向の位置調整を、一種類のステー支持ブラケットを用いて容易に実施することができ、従って、設計変更後のステー設置のための位置調整に適切に対応できる。また、ステー支持ブラケットを一種類用意すればよいので、成形のための型のコストを低減できる。
【図面の簡単な説明】
【００１１】
【図１】本発明の実施形態によるヘッドレスト支持装置を示す要部の斜視図である。
【図２】図１に示すヘッドレスト支持装置の平面図である。
【図３】従来のヘッドレストの支持構造を示す斜視図である。
【図４】従来の別のヘッドレストの支持装置を示す要部の斜視図である。
【図５】図４に示すヘッドレストの支持装置の平面図である。
【発明を実施するための最良の形態】
【００１２】
以下、本発明の実施形態を、図面を参照しながら説明する。図１は、ヘッドレスト支持装置を示す要部の斜視図、図２は、そのヘッドレスト支持装置の平面図である。
【００１３】
この実施形態によるヘッドレスト支持装置は、シートバックフレーム１と、開口ブラケット２と、ステー支持ブラケット３と、から構成されている。シートバックフレーム１は、鋼材などの金属パイプからなり、円筒形パイプや角筒形パイプなどが用いられ、図示例では、円筒形パイプを示してある。なお、図１および図２は、シートバックフレーム１の最も上部の水平部分を示してある。この水平部分にヘッドレストが、後述のように設置される。
【００１４】
シートバックフレーム１には、ヘッドレストの取付部位に上下方向に貫通する凹部４が形成されている。この凹部４は、シートバックフレーム１の管材の一部をつぶし加工することにより、形成されている。
【００１５】
また、この凹部４は、シートバックフレーム１の開口ブラケット２の厚み（辺の長さ）の略半分の深さであり、底面４ａとその底面４ａの両側に連続する傾斜面４ｂを有する。なお、凹部４を設けることで、ステー支持位置が不必要に後退するのを避けることができる。
【００１６】
開口ブラケット２は鋼材などからなり、例えば断面コ字状のチャンネル部材を所定長に切り取った形態をなす。この開口ブラケット２は、凹部４の底面４ａとは反対側に開口する開口部２ａが設けられて、その凹部４に取り付けられている。この凹部４への開口ブラケット２の取り付けは、例えば溶接によって行われている。
【００１７】
ステー支持ブラケット３は、例えば鋼材などの金属パイプからなり、略開口ブラケット長に応じた長さを持つ。この金属パイプ（ステー支持ブラケット）３には、図３に示す従来例と同様にヘッドレストステー（図示しない）を上下方向に摺動可能に支承する形状（例えば、円筒形）、サイズのブッシュが挿入されて固着されており、このブッシュにヘッドレストが頂部に固設されたヘッドレストステーが挿入されて支持されている。また、このブッシュには、挿入されたヘッドレストステーを上下方向に、複数段に亘って調整保持する保持機構（例えば、ノッチと係止溝）が設けられ、これによりヘッドレストステーの頂部に固設されたヘッドレストの高さ位置が調整可能となっている
【００１８】
また、このステー支持ブラケット３は、開口ブラケット２の内側に摺動可能に差し入れることができるサイズを持つ。従って、開口ブラケット２への取り付け前（例えば、溶接前）では、ステー支持ブラケット３は、図示の矢印Ｐ方向に移動調整可能である。
【００１９】
そして、この移動調整後には、ステー支持ブラケット３を開口ブラケット２に対し溶接することによって、このステー支持ブラケット３がシートバックフレーム１に固定される。この移動調整では、シートバックやヘッドレストの設計変更に応じて任意に行えるものであり、その移動調整量は、開口ブラケット２の開口方向長さの領域内である。
【００２０】
このように一種類の開口ブラケット２を、ヘッドレスト等の設計変更にも拘わらず共通に使用できる。このため、この開口ブラケット２の成形用の型の種類も一種類で済み、ステー支持ブラケット３のみでなく、ヘッドレスト支持装置の全体のコストを低減することができる。
【００２１】
このように本実施形態では、シートバックフレーム１のヘッドレスト設置位置に、上下方向に形成された凹部４と、この凹部４に取り付けられて、この凹部４側とは反対方向に開口する開口部２ａを持つ略コ字状の開口ブラケット２と、を有し、
この開口ブラケット２の開口部側からの所定位置に、前記ステー支持ブラケット３を装着して、かつ溶接等によって固定する構成である。
【００２２】
従って、シートバックの凹部４に取り付けられた開口ブラケット２内で前後方向へ位置調整した上で、溶接などによって固定すれば、ヘッドレストの前後方向の位置をヘッドレスト等の設計変更等に対応して任意に設定できる。また、開口ブラケット２の成形用の型を一種類のみ用意することで、型コストを大幅に削減することができる。
【産業上の利用可能性】
【００２３】
本発明は、簡単かつ安価な構成にてシートバックフレームに対するステー支持ブラケットの前後方向の位置調整を行えるようにし、以ってステー支持ブラケットの型コストを低減できるという効果を有し、車両のシートバック上に設けられ、衝突時における人体への影響を回避するヘッドレストの支持構造等に有用である。
【符号の説明】
【００２４】
１  シートバックフレーム
２  開口ブラケット
３  ステー支持ブラケット
４  凹部
【図１】
2011000144.tif 000003
【図２】
2011000144.tif 000004
【図３】
2011000144.tif 000005
【図４】
2011000144.tif 000006
【図５】
2011000144.tif 000007